(57)【要約】      （修正有）【課題】カード状媒体がカード状ホルダーに着脱可能であり、かつ、厚みが均一なため機器への出入が円滑で取り扱いやすい形状のカード状構成体を提供する。【解決手段】情報通信端末に着脱自在に設置され少なくともデータの入出力をされるカード状の媒体２０と、カード状媒体を収容するカード状のホルダー１０とから成るカード状構成体であって、カード状ホルダーとカード状媒体の厚みが略等しく、カード状ホルダーに、カード状媒体を挿入する孔部１１〜１４が設けられ、カード状媒体が孔部に着脱可能である構成とする。【選択図】図２
0003212051.tif 000002
【実用新案登録請求の範囲】
【請求項１】
情報通信端末に着脱自在に設置され少なくともデータの入出力をされるカード状の媒体と、そのカード状媒体を収容するカード状のホルダーとから成るカード状構成体であって、
そのカード状ホルダーとカード状媒体の厚みが略等しく、
カード状ホルダーに、カード状媒体の挿入される孔部が設けられ、
カード状媒体が、カード状ホルダーの孔部に着脱可能である
ことを特徴とするカード状構成体。
【請求項２】
カード状媒体が、平らであり、情報通信端末のトレイの上に載置されるものである
請求項１に記載のカード状構成体。
【請求項３】
カード状ホルダーの孔部に挿入されたカード状媒体と、その周辺のカード状ホルダーとにわたって、一枚のシールが貼られた
請求項１または２に記載のカード状構成体。
【請求項４】
カード状媒体が、ＳＩＭカード、ｍｉｎｉＳＩＭカード、ｍｉｃｒｏＳＩＭカード、ｎａｎｏＳＩＭカード、ＳＩＭ機能付きＳＤメモリーカード、ＳＩＭ機能付きｍｉｎｉＳＤメモリーカード、ＳＩＭ機能付きｍｉｃｒｏＳＤメモリーカード、ＳＤメモリーカード、ｍｉｎｉＳＤメモリーカード、ｍｉｃｒｏＳＤメモリーカード、ＳＤＨＣメモリーカード、ｍｉｎｉＳＤＨＣメモリーカード、ｍｉｃｒｏＳＤＨＣメモリーカード、ＳＤＸＣメモリーカード、ｍｉｎｉＳＤＸＣメモリーカード、ｍｉｃｒｏＳＤＸＣメモリーカードのいずれかであり、
カード状ホルダーが、ＩＤ−１規格のカードである
請求項１ないし３のいずれかに記載のカード状構成体。
【考案の詳細な説明】
【技術分野】
【０００１】
本考案は、ＳＩＭカードやＳＤメモリーカードなど、情報通信端末に着脱自在に設置され少なくともデータの入出力をされるカード状の媒体と、そのカード状媒体を収容するカード状のホルダーとから成るカード状構成体に関する。
【背景技術】
【０００２】
ＳＩＭカードやＳＤメモリーカードなどのカード状媒体を、カード状のホルダーに設けた構成物は、既に市場に普及している。
特許文献１には、ｍｉｃｒｏＳＤメモリーカードをＩＤ−１規格の標準的なカードの孔に嵌めてホイルを貼った構成物が記載されている。これによると、ｍｉｃｒｏＳＤメモリーカードには機器から引き抜くための突起があるため、その突起がカード状ホルダーより突出する。そのため、その突起が、データ書き込み装置などへの出入の障害になることがある。また、多数枚を積み重ねると、傾斜してしまい、取り扱いに難を生じる。
【先行技術文献】
【特許文献】
【０００３】
【特許文献１】ＷＯ２０１３／１４０３７６
【考案の概要】
【考案が解決しようとする課題】
【０００４】
そこで、本考案は、カード状媒体がカード状ホルダーに着脱可能であり、かつ、取り扱いやすい形状のカード状構成体を提供することを課題とする。
【課題を解決するための手段】
【０００５】
上記課題を解決するために、本考案のカード状構成体は、次の構成を備える。すなわち、情報通信端末に着脱自在に設置され少なくともデータの入出力をされるカード状の媒体と、そのカード状媒体を収容するカード状のホルダーとから成るカード状構成体であって、そのカード状ホルダーとカード状媒体の厚みが略等しく、カード状ホルダーに、カード状媒体の挿入される孔部が設けられ、カード状媒体が、カード状ホルダーの孔部に着脱可能であることを特徴とする。
【０００６】
ここで、カード状媒体を、平らで、情報通信端末のトレイの上に載置されるものとしてもよい。
【０００７】
カード状ホルダーの孔部に挿入されたカード状媒体と、その周辺のカード状ホルダーとにわたって、一枚のシールを貼ってもよい。
【０００８】
カード状媒体としては、ＳＩＭカード、ｍｉｎｉＳＩＭカード、ｍｉｃｒｏＳＩＭカード、ｎａｎｏＳＩＭカード、ＳＩＭ機能付きＳＤメモリーカード、ＳＩＭ機能付きｍｉｎｉＳＤメモリーカード、ＳＩＭ機能付きｍｉｃｒｏＳＤメモリーカード、ＳＤメモリーカード、ｍｉｎｉＳＤメモリーカード、ｍｉｃｒｏＳＤメモリーカード、ＳＤＨＣメモリーカード、ｍｉｎｉＳＤＨＣメモリーカード、ｍｉｃｒｏＳＤＨＣメモリーカード、ＳＤＸＣメモリーカード、ｍｉｎｉＳＤＸＣメモリーカード、ｍｉｃｒｏＳＤＸＣメモリーカードが適用でき、カード状ホルダーとしては、ＩＤ−１規格のカードが適用できる。
【考案の効果】
【０００９】
本考案によると、カード状構成体の厚みが均一なため、機器への出入が円滑であり、また、多数枚を平行に積み重ねられて取り扱いやすい利点がある。
【図面の簡単な説明】
【００１０】
【図１】本考案によるカード状構成体の表面を示す斜視図
【図２】同、裏面を示す斜視図
【図３】カード状媒体が載置されるトレイを引き出した状態の情報通信端末の説明図
【図４】カード状媒体が載置されたトレイの説明図
【考案を実施するための最良の形態】
【００１１】
以下に、本考案の実施形態を、図面に示す実施例を基に説明する。なお、実施形態は下記の例示に限らず、本考案の趣旨から逸脱しない範囲で、前記特許文献など従来公知の技術を援用して適宜設計変更可能である。
【００１２】
図１及び２は、本考案によるカード状構成体の表面及び裏面を示す斜視図である。
図示の例では、カード状ホルダー（１０）として、クレジットカードや身分証明カードなどに広く使われているＩＳＯ／ＩＥＣ７８１０（ＩＤ−１）規格のプラスティック製カードが挙げられ、カード状媒体（２０）として、ｍｉｃｒｏＳＤメモリーカードが挙げられている。
カード状ホルダー（１０）に開口された孔部（１１）に、カード状媒体（２０）が嵌合されて一体化されている。カード状媒体（２０）は、カード状ホルダー（１０）の孔部（１１）に着脱自在であり、カード状媒体（２０）はカード状ホルダー（１０）に挿入された状態でもカード状ホルダー（１０）から取り外した状態でも使用できる。
【００１３】
図２における点線（１２）（１３）（１４）は、別の形状の孔部を設けた場合の例を示す。孔部（１２）は、ｎａｎｏＳＩＭカードの外形に対応し、孔部（１３）は、ｍｉｃｒｏＳＩＭカードの外形に対応し、孔部（１４）は、ｍｉｎｉＳＤメモリーカードの外形に対応する。
このように、カード状媒体（２０）としては、ＳＩＭカード、ｍｉｎｉＳＩＭカード、ｍｉｃｒｏＳＩＭカード、ｎａｎｏＳＩＭカード、ＳＩＭ機能付きＳＤメモリーカード、ＳＩＭ機能付きｍｉｎｉＳＤメモリーカード、ＳＩＭ機能付きｍｉｃｒｏＳＤメモリーカード、ＳＤメモリーカード、ｍｉｎｉＳＤメモリーカード、ｍｉｃｒｏＳＤメモリーカード、ＳＤＨＣメモリーカード、ｍｉｎｉＳＤＨＣメモリーカード、ｍｉｃｒｏＳＤＨＣメモリーカード、ＳＤＸＣメモリーカード、ｍｉｎｉＳＤＸＣメモリーカード、ｍｉｃｒｏＳＤＸＣメモリーカードに同様に適用でき、カード状ホルダーとしても、同様の薄板状のカードに適用できる。
【００１４】
カード状媒体（２０）をカード状ホルダー（１０）に挿入した際には、その脱落を防止するために、カード状ホルダー（１０）の孔部（１１）の周辺にシール（３０）を貼着してもよい。図示の例では、片面でカード状媒体（２０）の一部がシール（３０）で覆われ、もう片面でカード状媒体（２０）の全体にわたってシール（３０）で覆われているが、シール（３０）でカード状媒体（２０）を覆う部位は任意であり、片面のみでもよい。
また、シール（３０）も１回剥がしたら再使用できないタイプでも、繰り返し使用できるタイプでもよい。
【００１５】
カード状媒体（２０）とカード状ホルダー（１０）は平らで、厚みが略等しいことが好ましい。すると、カード状媒体（２０）とカード状ホルダー（１０）とから成るカード状構成体を、機器への出入が円滑であったり、多数枚を平行に積み重ねられるなど取り扱いやすい。
カード状媒体（２０）は、把持する手掛かりとなる突起のない平らな形状であっても、トレイの上に載置されてセットされる機器には容易に使用できる。
【００１６】
図３は、カード状媒体が載置されるトレイを引き出した状態の情報通信端末の例を示す説明図である。
情報通信端末（４０）の側部から引き出されたトレイ（４１）には、カード状媒体（２０）が載置される２つのスロット（４２）（４３）が備わる。スロット（４２）（４３）の一方または両方の上面に１枚または２枚のカード状媒体（２０）を置き、トレイ（４１）を押し戻すことで、カード状媒体（２０）が情報通信端末（４０）にセットされる。
【００１７】
図４は、様々なカード状媒体が載置されたトレイの説明図である。
図４（ａ）では、スロット（４２）にｍｉｃｒｏＳＩＭカード（２０）が載置され、図４（ｂ）では、スロット（４３）にｎａｎｏＳＩＭカード（２１）が載置され、図４（ｃ）では、スロット（４３）にｍｉｃｒｏＳＤメモリーカード（２２）が載置されている。なお、スロット（４３）は、ｎａｎｏＳＩＭカード（２１）またはｍｉｃｒｏＳＤメモリーカード（２２）を向きを変えて載置可能な形状である。
【産業上の利用可能性】
【００１８】
本考案によると、カード状構成体が取り扱いやすくなり、その普及に寄与するため産業上利用価値が高い。
【符号の説明】
【００１９】
１０  カード状ホルダー
１１〜１４  カード状ホルダーの孔部
２０〜２２  カード状媒体
３０  シール
４０  情報通信端末
４１  情報通信端末のトレイ
４２〜４３  トレイのスロット
【図１】
0003212051.tif 000003
【図２】
0003212051.tif 000004
【図３】
0003212051.tif 000005
【図４】
0003212051.tif 000006